(57)【要約】【課題】チェックイン、チェックアウトに関して利便性の良い再生装置及び記録媒体を提供する。【解決手段】情報管理装置１０２のコンテンツの一部を再生装置１０３へチェックアウトするときに、コンテンツ・管理情報編集部１１０で情報管理装置１０２の全てのコンテンツの管理情報を含むデフォルトプレイリストにどのコンテンツがチェックアウトされたかを識別するための付加情報を追加したものをプレイリストとして再生装置１０３に記録する。再生装置１０３では、前記記録されたプレイリストをＬＣＤ１１５表示させ、入力部１１６によりチェックイン及びチェックアウト予約するコンテンツの選択を受付け、管理情報編集部１１９によりチェックイン及びチェックアウト予約であることを示す付加情報を記録し、情報管理装置１０２に接続した際は、前記付加情報に従い、自動的にチェックイン、チェックアウトが行われる。【選択図】図１
2006127626.tif 000002
【特許請求の範囲】
【請求項１】
著作権保護されたコンテンツ群である第一のコンテンツ群及び前記第一のコンテンツ群の
管理情報群である第一の管理情報群を格納する第一の記録媒体を有し、前記第一のコンテ
ンツ群のコピー権利回数を管理する情報管理装置と、
前記情報管理装置からコピーされたコンテンツ群である第二のコンテンツ群及び前記第二
のコンテンツ群の管理情報群である第二の管理情報群を格納する第二の記録媒体を有し、
前記第二のコンテンツ群を再生する再生装置と、
前記情報管理装置と前記再生装置間でコンテンツ及び管理情報を受け渡しするデータ通信
手段と、
前記第一のコンテンツ群のうち前記再生装置にコピーするコンテンツを前記情報管理装置
で選択し、前記データ通信手段を用いて選択されたコンテンツ及び選択されたコンテンツ
に対する管理情報を前記第二の記録媒体にコピーし、コピー権利回数を減少させるチェッ
クアウト手段と、
前記データ通信手段を介して前記第二のコンテンツ群のうち前記情報管理装置にコピーの
権利を返却するコンテンツを前記情報管理装置より選択し、選択されたコンテンツを無効
化し前記情報管理装置にコピー権利を返却するチェックイン手段を備え、
前記再生装置は選択されていないコンテンツに対応する管理情報を含む前記第一の管理情
報群全てあるいは一部の情報コピーを有することを特徴としたコピー管理システム。
【請求項２】
前記チェックアウト手段は、どのコンテンツに前記チェックアウト手段を適用したかを識
別するための第一の付加情報を前記第二の記録媒体に記録し、
前記再生装置は前記第二の管理情報群及び前記第一の付加情報に基づいて前記チェックイ
ン手段の対象とするコンテンツを選択し、前記選択されたことを識別する第二の付加情報
を記録する手段を備え、
前記データ通信手段が再度有効になったときに、
前記情報管理装置は前記第二の付加情報を参照して自動的に前記チェックイン手段を適用
することを特徴とした請求項１に記載のコピー管理システム。
【請求項３】
前記チェックアウト手段は、どのコンテンツに前記チェックアウト手段を適用したかを識
別するための第一の付加情報を前記第二の記録媒体に記録し、
前記再生装置は前記第二のコンテンツ群及び前記第一の付加情報に基づいて前記チェック
アウト手段の対象とするコンテンツを選択し、選択されたことを識別する第二の付加情報
を記録する手段を備え、
前記データ通信手段が再度有効になったときに、
前記情報管理装置は前記第二の付加情報を参照して自動的に前記チェックアウト手段を適
用することを特徴とした請求項１に記載のコピー管理システム。
【請求項４】
前記チェックアウト手段は、どのコンテンツに前記チェックアウト手段を適用したかを識
別するための第一の付加情報を前記第二の記録媒体に記録し、
前記再生装置は前記第二のコンテンツ群及び前記第一の付加情報に基づいて前記チェック
イン手段の対象とするコンテンツ及び前記チェックアウト手段の対象とするコンテンツを
選択し、選択されたことを識別する第二の付加情報を記録する手段を備え、
前記データ通信手段が再度有効になったときに、
前記情報管理装置は前記第二の付加情報を参照して自動的に前記チェックイン手段及び前
記チェックアウト手段を適用することを特徴とした請求項１に記載のコピー管理システム。
【請求項５】
前記再生装置は前記第二のコンテンツ群から前記チェックイン手段の対象とするコンテン
ツを選択し、選択されたことを識別する第二の付加情報を前記再生装置に記録し、選択さ
れたコンテンツを削除し、前記チェックイン手段を適用しなくても前記再生装置の記憶媒
体の空き記憶領域を作成することを特徴とした請求項１に記載のコピー管理システム。
【請求項６】
前記第一の付加情報及に基づいて前記チェックアウト手段が適用されたコンテンツのみを
参照して再生することを特徴とした請求項１に記載のコピー管理システム。
【請求項７】
前記再生装置は前記第一の付加情報に基づいて、前記チェックアウト手段が適応されたコ
ンテンツの管理情報のみを表示する手段と、前記チェックアウト手段が適応されていない
コンテンツの管理情報のみを表示する手段と、前記第一の管理情報全てを表示する手段を
備たことを特徴とする請求項１に記載のコピー管理システム。
【請求項８】
前記第一の管理情報群と前記第二の情報群を比較し、前記比較の結果が同じでない場合、
前記第二の管理情報群を第一の管理情報群で修正する手段を備え、
前記データ通信手段が再度有効になったときに、自動的に修正が行われることを特徴とし
た請求項１に記載のコピー管理システム。
【請求項９】
前記再生装置は、前記第二の付加情報に基づき前記チェックイン手段の対象とすべきコン
テンツの容量を求める手段と、前記容量を求める手段によって求めた容量に基づき前記チ
ェックイン手段の対象候補となるコンテンツを予測する手段を備え、
自動的に前記チェックイン手段を適用するコンテンツを抽出することを特徴とした請求項
１に記載のコピー管理システム。
【請求項１０】
前記第一のコンテンツ群に破損したコンテンツがある場合、
前記第二のコンテンツ群を用いて前記破損したコンテンツを復旧する手段を備え、
前記破損したコンテンツが復旧済みの場合は、復旧させようとする前記第二のコンテンツ
が復旧済みのコンテンツより新しいと判断された場合に復旧を行い、複数の前記再生装置
の第二のコンテンツから最新のコンテンツで復旧することを特徴とした請求項１に記載の
コピー管理システム。
【請求項１１】
前記データ通信手段は通信回線を介してコンテンツ及び管理情報を受け渡しすることを特
徴とした請求項１に記載のコピー管理システム。
【請求項１２】
前記再生装置の前記第二の記録媒体がリムーバブルな記録媒体であり、前記データ通信手
段は前記再生装置の記録媒体を前記情報管理装置に接続してコンテンツ及び管理情報を受
け渡しすることを特徴とした請求項１に記載のコピー管理システム。
【請求項１３】
請求項１から請求項１２記載のコピー管理システムにおいて構成されることを特徴とした
情報管理装置。
【請求項１４】
請求項１から請求項１２記載のコピー管理システムにおいて構成されることを特徴とした
再生装置。
【発明の詳細な説明】
【技術分野】
【０００１】
本発明は、著作権保護に対応した音楽コンテンツのコピー方法に関し、特に、管理情報を有した記録媒体を含む情報管理装置及び再生装置に関するものである。
【背景技術】
【０００２】
近年、ＨＤＤ（Ｈａｒｄ  Ｄｉｓｋ  Ｄｒｉｖｅ）のような大容量記録媒体に大量の音楽コンテンツを蓄積しておき、その一部をＳＤメモリカードのような半導体記録媒体等に取り出して外出先で携帯音楽再生端末を用いて聴くといった楽しみ方が確立されつつある。
【０００３】
一方、音楽コンテンツを違法コピーし、そのデータがインターネットなどを通じて配信さてしまうといった問題があった。そこで、音楽コンテンツの著作権を守る目的でＳＤＭＩ（Ｓｅｃｕｒｅ  Ｄｉｇｉｔａｌ  Ｍｕｓｉｃ  Ｉｎｉｔｉａｔｉｖｅ）という団体が設立された。ＳＤＭＩの規則では、音楽コンテンツの利用ルールとして、「チェックアウト」、「チェックイン」などが定義されている。チェックアウトとは、ある記録媒体から別の記録媒体へ音楽コンテンツをコピーすることであり、チェックアウトの度にコピーできる残り回数を１つずつ減らし、制限を越えるコピーを行わないようにするものである。チェックインとは、チェックアウトした音楽コンテンツを元の記憶媒体に戻すことであり、コピー先の音楽コンテンツを無効にし、コピーできる残り回数を１つ復元する。このため、チェックインをするためには、チェックアウト元の記憶媒体をユーザが覚えておく必要がある。
【０００４】
従来のコピー管理システムでは、図２２に示すように著作権保護されたコンテンツのチェックイン・チェックアウトの管理を行う情報管理装置１から再生装置の記録媒体２にコンテンツをチェックアウトするときに、情報管理装置１がチェックアウトをするコンテンツの管理情報３とチェックアウト元の記録媒体名４を再生装置の記録媒体２に記録しておく。そして、情報管理装置１に再生装置の記録媒体２が接続されると、情報管理装置の記憶媒体名表示手段５により前記再生装置の記録媒体２に記録されている記録媒体名４を表示する。したがって、チェックアウト元の記憶媒体をユーザが覚えておく必要がなく、チェックアウト元の記憶媒体が複数でも管理を容易に行うことができる。（例えば、特許文献１参照。）
【特許文献１】特開２００２−３３４５５９号公報
【発明の開示】
【発明が解決しようとする課題】
【０００５】
しかしながら、前記従来の構成では、再生装置ではチェックアウトしたコンテンツの情報しか保持していないため、新たにコンテンツをチェックアウトするためには情報管理装置でチェックアウトコンテンツを選択しなければならない。例として、音楽コンテンツを再生装置にチェックアウトして外出先で聴く場合、コンテンツ数が少ないことや、他の音楽コンテンツを聴きたいなど理由により、新たなコンテンツをチェックアウトするために外出先でチェックアウトコンテンツを選択しておきたいことがある。しかし、情報管理装置がないと新たなコンテンツ情報が閲覧できないため、情報管理装置のある場所に戻らないとチェックアウトコンテンツの選択ができないという課題を有していた。
【０００６】
また、聴いている音楽コンテンツが好みでないことや、何回も聴いたため飽きてしまうことがある。このように、コンテンツが不要なためチェックインしたいと感じるのはコンテンツを再生しているときである場合が多い。しかし、チェックインしたいコンテンツがあった場合、情報管理装置のある場所に戻るまでユーザがそのコンテンツを覚えておき、チェックイン処理の際にチェックインしたいコンテンツを選択しなければならないという課題を有していた。
【０００７】
更に、再生装置の記憶容量の上限近くまで音楽コンテンツをチェックアウトした再生装置に対して、外出先で新たな音楽コンテンツをチェックアウトしたい場合や、その他のデータを格納したい場合がある。そのためには、不要な音楽コンテンツをチェックインして空き記憶領域を作る必要があるが、情報管理装置がないとチェックインできないため、情報管理装置のある場所まで一度戻らなければならないという課題を有していた。
【０００８】
更に、記録媒体の劣化や誤操作などにより情報管理装置のコンテンツが破損してしまうと、著作権保護されたコンテンツはバックアップができない仕組みであるため破損コンテンツは復旧できず、再生装置にチェックアウトしていたコンテンツも情報管理装置にチェックインできなくなるという課題を有していた。
【０００９】
本発明は、前記従来の課題を解決するもので、情報管理装置がなくても再生装置で新たにチェックアウトするコンテンツを選択することができるコピー管理システム提供することを目的とする。
【００１０】
また、情報管理装置がなくても再生装置でチェックインコンテンツを選択することができるコピー管理システム提供することを目的とする。
更に、チェックイン処理を行わなくてもコンテンツデータを消去して空き記憶領域を作成し、都合の良いときにチェックインを行うことができるコピー管理システム提供することを目的とする。
【００１１】
更に、情報管理装置のコンテンツが破損した場合、再生装置にチェックアウトしたコンテンツで復旧することができるコピー管理システム提供することを目的とする。
【課題を解決するための手段】
【００１２】
前記従来の課題を解決するために、本発明のコピー管理システムは、著作権保護されたコンテンツ群である第一のコンテンツ群及び前記第一のコンテンツ群の管理情報群である第一の管理情報群を格納する第一の記録媒体を有し、前記第一のコンテンツ群のコピー権利回数を管理する情報管理装置と、前記情報管理装置からコピーされたコンテンツ群である第二のコンテンツ群及び前記第二のコンテンツ群の管理情報群である第二の管理情報群を格納する第二の記録媒体を有し、前記第二のコンテンツ群を再生する再生装置と、前記情報管理装置と前記再生装置間でコンテンツ及び管理情報を受け渡しするデータ通信手段と、前記第一のコンテンツ群のうち前記再生装置にコピーするコンテンツを前記情報管理装置で選択し、前記データ通信手段を用いて選択されたコンテンツ及び選択されたコンテンツに対する管理情報を前記第二の記録媒体にコピーし、コピー権利回数を減少させるチェックアウト手段と、前記データ通信手段を介して前記第二のコンテンツ群のうち前記情報管理装置にコピーの権利を返却するコンテンツを前記情報管理装置より選択し、前記選択されたコンテンツを無効化し前記情報管理装置にコピー権利を返却するチェックイン手段を備えたコピー管理システムにおいて、前記再生装置は選択されていないコンテンツに対応する管理情報を含む前記第一の管理情報群全てあるいは一部の情報コピーを有することを特徴としたものである。
【００１３】
さらに、コピー管理システムにおいて、前記チェックアウト手段は、どのコンテンツに前記チェックアウト手段を適用したかを識別するための第一の付加情報を前記第二の記録媒体に記録し、前記再生装置は前記第二の管理情報群及び前記第一の付加情報に基づいて前記チェックイン手段の対象とするコンテンツを選択し、選択されたことを識別する第二の付加情報を記録する手段を備え、前記データ通信手段が再度有効になったときに、前記情報管理装置は前記第二の付加情報を参照して自動的に前記チェックイン手段を適用
することを特徴としたものである。
【００１４】
さらに、コピー管理システムにおいて、前記チェックアウト手段は、どのコンテンツに前記チェックアウト手段を適用したかを識別するための第一の付加情報を前記第二の記録媒体に記録し、前記再生装置は前記第二のコンテンツ群及び前記第一の付加情報に基づいて前記チェックアウト手段の対象とするコンテンツを選択し、前記選択されたことを識別する第二の付加情報を記録する手段を備え、前記データ通信手段が再度有効になったときに、前記情報管理装置は前記第二の付加情報を参照して自動的に前記チェックアウト手段を適用することを特徴としたものである。
【００１５】
さらに、コピー管理システムにおいて、前記チェックアウト手段は、どのコンテンツに前記チェックアウト手段を適用したかを識別するための第一の付加情報を前記第二の記録媒体に記録し、前記再生装置は前記第二のコンテンツ群及び前記第一の付加情報に基づいて前記チェックイン手段の対象とするコンテンツ及び前記チェックアウト手段の対象とするコンテンツを選択し、選択されたことを識別する第二の付加情報を記録する手段を備え、前記データ通信手段が再度有効になったときに、前記情報管理装置は前記第二の付加情報を参照して自動的に前記チェックイン手段及び前記チェックアウト手段を適用することを特徴としたものである。
【００１６】
さらに、コピー管理システムにおいて、前記再生装置は前記第二のコンテンツ群から前記チェックイン手段の対象とするコンテンツを選択し、選択されたことを識別する第二の付加情報を前記再生装置に記録し、選択されたコンテンツを削除し、前記チェックイン手段を適用しなくても前記再生装置の記憶媒体の空き記憶領域を作成することを特徴としたものである。
【００１７】
さらに、コピー管理システムにおいて、前記第一の付加情報及に基づいて前記チェックアウト手段が適用されたコンテンツのみを参照して再生することを特徴としたものである。
【００１８】
さらに、コピー管理システムにおいて、前記再生装置は前記第一の付加情報に基づいて、前記チェックアウト手段が適応されたコンテンツの管理情報のみを表示する手段と、前記チェックアウト手段が適応されていないコンテンツの管理情報のみを表示する手段と、前記第一の管理情報全てを表示する手段を備たことを特徴とするものである。
さらに、コピー管理システムにおいて、前記第一の管理情報群と前記第二の情報群を比
較し、前記比較の結果が同じでない場合、前記第二の管理情報群を第一の管理情報群で修正する手段を備え、前記データ通信手段が再度有効になったときに、自動的に修正が行われることを特徴としたものである。
【００１９】
さらに、コピー管理システムにおいて、前記再生装置は、前記第二の付加情報に基づき前記チェックイン手段の対象とすべきコンテンツの容量を求める手段と、前記容量を求める手段によって求めた容量に基づき前記チェックイン手段の対象候補となるコンテンツを予測する手段を備え、自動的に前記チェックイン手段を適用するコンテンツを抽出することを特徴としたものである。
【００２０】
さらに、コピー管理システムにおいて、前記第一のコンテンツ群に破損したコンテンツがある場合、前記第二のコンテンツ群を用いて前記破損したコンテンツを復旧する手段を備え、前記破損したコンテンツが復旧済みの場合は、復旧させようとする前記第二のコンテンツが復旧済みのコンテンツより新しいと判断された場合に復旧を行い、複数の前記再生装置の第二のコンテンツから最新のコンテンツで復旧することを特徴としたものである。
【００２１】
さらに、コピー管理システムにおいて、前記データ通信手段は通信回線を介してコンテンツ及び管理情報を受け渡しすることを特徴とするものである。
さらに、コピー管理システムにおいて、前記再生装置の前記第二の記録媒体がリムーバブルな記録媒体であり、前記データ通信手段は前記再生装置の記録媒体を前記情報管理装置に接続してコンテンツ及び管理情報を受け渡しすることを特徴とするものである。
【発明の効果】
【００２２】
本発明のコピー管理システムによれば、チェックアウト元である情報管理システムの全てのコンテンツの管理情報をチェックアウト先である再生装置に記録するので、チェックアウトしたコンテンツを外出先等で使用中、チェックアウトしたいコンテンツの情報を閲覧できる。
【００２３】
また、再生装置にチェックインまたはチェックアウト対象のコンテンツを識別するための付加情報を設けたため、情報管理装置がない外出先などでもチェックインまたはチェックアウトするコンテンツをユーザが覚えておく必要がない。
【００２４】
更に、再生装置でチェックインするコンテンツを選択すると対象する管理情報を保持したまま選択したコンテンツのみを削除するため、チェックインを行わなくても記憶空き容量が作れ、都合の良いときにチェックインをすることができる。
【００２５】
更に、再生装置が情報管装置の全ての管理情報を保持しているため、情報管理装置のコンテンツが破損した場合、再生装置にチェックアウトされたコンテンツのうち破損したコンテンツに対応するコンテンツを探して復旧することができる。
【発明を実施するための最良の形態】
【００２６】
以下に、本発明のコピー管理システムの実施の形態を図面とともに詳細に説明する。
【実施例１】
【００２７】
図１は、本発明の第１の実施例におけるコピー管理システムの情報管理装置及び再生装置の構成図を示す。
【００２８】
図１において、ＨＤＤ１０１に格納されたコンテンツは、情報管理装置１０２にインポート（コピー）され、インポートされたコンテンツは著作権保護された形態に編集され、複数または単一の再生装置１０３のＳＤメモリカード１１４にコンテンツの一部または全てをチェックアウトし、再生装置で使用される。チェックアウトされたコンテンツが不要になった場合は情報管理装置１０２へチェックインを行う。
【００２９】
情報管理装置１０２は、インポート元の記憶媒体であるＨＤＤ１０１とデータ通信を行うための接続部１０４と、再生装置１０３とデータ通信を行うためにＵＳＢ（Ｕｎｉｖｅｒｓａｌ  Ｓｅｒｉａｌ  Ｂｕｓ）１２０を介して接続される接続部１０５と、コンテンツの情報を表示するＬＣＤ（Ｌｉｑｕｉｄ  Ｃｒｙｓｔａｌ  Ｄｉｓｐｌａｙ）１０６と、ユーザからの指示を受け付ける入力部１０７と、情報管理装置１０２の様々な制御を行うためのプログラムを有する制御部１０８と、ＨＤＤ１０１のコンテンツや管理情報及び再生装置１０３の管理情報の読み込みを行う情報読み込み部１０９と、ＨＤＤ１０１から読み込んだコンテンツの著作権保護された形態への編集、及び、再生装置１０３へ書き込むための管理情報の編集を行うコンテンツ・管理情報編集部１１０と、編集されたコンテンツを記憶しておくコンテンツ記憶部１１１と、コンテンツ記憶部１１１のデータを再生装置１０３に書き込む情報書き込み部１１２から構成される。尚、インポート元のＨＤＤ１０１は、ＣＤ（Ｃｏｍｐａｃｔ Ｄｉｓｋ）などの記録媒体やインターネットの音楽配信でも良く、ＬＣＤ１０６はＣＲＴ等他の表示装置でも良い。
【００３０】
また、再生装置１０３は、情報管理装置１０２とデータ通信を行うためにＵＳＢ１２０を介して接続される接続部１１３と、コンテンツや管理情報を記憶するＳＤメモリカード１１４と、コンテンツの情報を表示するＬＣＤ（Ｌｉｑｕｉｄ  Ｃｒｙｓｔａｌ  Ｄｉｓｐｌａｙ）１１５と、ユーザからの指示を受け付ける入力部１１６と、再生装置の様々な制御を行うためのプログラムを有する制御部１１７と、コンテンツをデコードして出力する音楽出力部１１８と、管理情報を編集する管理情報編集部１１９から構成される。尚、ＳＤメモリカード１１４はその他の半導体メモリや小型ＨＤＤ等他の記憶媒体でも良く、ＬＣＤ１１５はＣＲＴ等他の表示装置でも良い。
【００３１】
また、情報管理装置１０２と再生装置１０３のデータ通信手段であるＵＳＢ１２０は、無線通信など他のインターフェースでも良く、また、再生装置１０３のＳＤメモリカード１１４がリムーバブルであればＳＤメモリカード１１４を情報管理装置１０２の接続部へ直接挿入する方法でも良い。
【００３２】
図２〜図５は、本発明の第１の実施例における再生装置のＳＤメモリカード及び情報管理装置のコンテンツ記憶部におけるユーザデータ領域のデータ構造を示す。ユーザデータ領域への読み書きに際しては特定の手続きはなく、自由行うことができる。
図２において、ユーザデータ領域のオーディオ用ディレクトリ構造を示す。「ＳＤ＿ＡＵＤＩＯ」ディレクトリ２０１は、「ＳＤ＿ＡＵＤＩＯ．ＰＬＭ」ファイルと２０２、「ＳＤ＿ＡＵＤＩＯ．ＴＫＭ」ファイル２０３と、著作権保護のため暗号化されたオーディオオブジェクトを格納したファイル「ＡＯＢ００１．ＳＡ１」「ＡＯＢ００２．ＳＡ１」・・・「ＡＯＢ００ｎ．ＳＡ１」２０４から構成される。「ＳＤ＿ＡＵＤＩＯ．ＰＬＭ」ファイル２０２は、ナビゲーション情報であるプレイリストマネージャー（ＰｌａｙｌｉｓｔＭａｎａｇｅｒ（ＰＬＭＧ））を含み、「ＳＤ＿ＡＵＤＩＯ．ＴＫＭ」ファイル２０３はトラックマネージャー（Ｔｒａｃｋ  Ｍａｎａｇｅｒ（ＴＫＭＧ））を含む。図３において、図２に記載のＴＫＭＧ２０３に含まれるＴＫＩ３０１はトラックであるＡＯＢファイルへの参照情報を持っており、図２に記載のＰＬＭＧ２０２に含まれるＤｅｆａｕｌｔ  Ｐｌａｙｌｉｓｔ  Ｉｎｆｏｒｍａｔｉｏｎ（ＤＰＩ）３０２は、ＴＫＩの全参照情報を持っており、Ｐｌａｙｌｉｓｔ  Ｉｎｆｏｒｍａｔｉｏｎ（ＰＬＩ）３０３は、任意のトラックのＴＫＩへの参照情報を持っており、ＰＬＭＧ中に複数存在することができる。図４において、図３に記載のＰＬＭＧのＤＰＬＩ３０２は、デフォルトプレイリストによって参照されるＴＫＩの数（ＳＤカードに記録されているＡＯＢファイル数に等しい）や前再生時間等の情報を含むＰＬＧＩ４０１と、デフォルトプレイリストによって参照されるＴＫＩのナンバーＤＰＬ＿ＴＫ＿ＳＲＰ＃１〜＃ｎ４０２が再生順に記述されている。デフォルトプレイリストでの再生順は、ＡＯＢファイルが記録された順であり、新たにＡＯＢファイルが追加された場合はデフォルトプレイリストの最後尾に登録される。  また、図３に記載のＰＬＭＧのＰＬＩ３０３は、プレイリストによって参照されるＴＫＩの数や前再生時間等の情報を含むＰＬＧＩ４０３と、プレイリストによって参照されるＴＫＩのナンバーＰＬ＿ＴＫ＿ＳＲＰ＃１〜＃ｘ４０４が再生順に記述されている。図５において、図３に記載のＴＫＭＧのＴＫＩ＃ｎ３０１は、トラックの管理情報を含むＴＫＧＩ５０１と、テキストデータが記述されているＴＫＴＸＴＩ＿ＤＡ５０２と、早送り、巻き戻しでアクセス時に使用される情報が記述されているＴＭＳＲＴ５０３と、付加情報として使用されるＲＥＦ＿ＦＬＡＧ５０４を含む。ＲＥＦ＿ＦＬＡＧのビット値が００ｂならばこのＴＫＩに対応するＡＯＢファイルがチェックアウトされていることを示し、０１ｂならばチェックアウトされていないことを示し、１０ｂならばチェックアウトされているがチェックインを予約されていることを示し、１１ｂならばチェックアウトされていないがチェックアウトが予約されていることを示す。ＡＯＢファイルを再生する場合は、このフラグが００ｂであるファイルのみを参照し再生する。
【００３３】
図６〜図８は、本発明の第１の実施例における再生装置のＳＤメモリカード及び情報管理装置のコンテンツ記憶部におけるプロテクト領域のデータ構造を示す。プロテクト領域は、暗号化キー等重要なデータが記憶されるため、互いの正当性を確認し合う相互認証が成功した機器のみが読み書き可能となる。相互認証はこの領域を読み書きする毎に行われ不正な読み書きを防止する。以降の説明では相互認証については省略するが、読み書きに際しては行われ、相互認証が失敗した場合は全ての処理を終了するものとする。
【００３４】
図６において、プロテクト領域のオーディオ用ディレクトリ構造を示す。「ＳＤ＿ＡＵＤＩＯ」ディレクトリ６０１は、「ＡＯＢＳＡ１．ＫＥＹ」ファイル６０２と、「ＳＤ＿ＡＤＥＸＴ」ディレクトリ６０３と、「ＳＤ＿ＡＤＥＸＴ」ディレクトリの下にある「ＡＯＢＳＡ１．ＵＲＭ」ファイル６０４から構成される。「ＡＯＢＳＡ１．ＫＥＹ」ファイル６０２は暗号化されたオーディオオブジェクトファイルであるＡＯＢ００１．ＳＡ１〜ＡＯＢ＃ｎ．ＳＡ１を復号するために必要なＫｅｙであるＴｉｔｌｅ  Ｋｅｙの情報が記述されているＴｉｔｌｅ Ｋｅｙ  Ｍａｎａｇｅｒ ｆｉｌｅ (ＴＫＭＧ)を含む。「ＡＯＢＳＡ１．ＵＲＭ」ファイル６０４はコピールールに関する情報が記述されているＵｓａｇｅ Ｒｕｌｅ Ｍａｎａｇｅｒ（ＵＲＭＧ）を含む。
【００３５】
図７において、図６に記載のＴＫＭＧ６０２は、暗号化されたＴｉｔｌｅ  Ｋｅｙが記述されているＴｉｔｌｅ  Ｋｅｙ  Ｅｎｔｒｙ＃１〜＃ｎ７０１とＴｉｔｌｅ  Ｋｅｙ  Ｅｎｔｒｙのサイズや数などが記述されているＴｉｔｌｅ  Ｋｅｙ  Ｍａｎａｇｅｒ  Ｉｎｆｏｒｍａｔｉｏｎ７０２が含まれる。暗号化されたＡＯＢファイルはこのＴｉｔｌｅ  Ｋｅｙで暗号化されているため、ＡＯＢファイルを復号する際にはこのＴｉｔｌｅ  Ｋｅｙ  Ｅｎｔｒｙの情報が必要となる。なお、Ｔｉｔｌｅ  Ｋｅｙはメディア固有の識別情報であるＭｅｄｉａ  ＩＤ等から生成されているため、ＡＯＢファイル及びＴｉｔｌｅ  Ｋｅｙを含む管理情報を他の装置にコピーしても、Ｍｅｄｉａ  ＩＤ等の固有情報が異なるため復号できない仕組みになっている。再生可能なコピーをするためには、コピー元メディアとコピー先メディアで相互認証を行い、コピー先メディアの固有情報を元にＴｉｔｌｅ  Ｋｅｙを生成し直し、生成したＴｉｔｌｅ  ＫｅｙでＡＯＢファイルを暗号化することで使用可能な状態となる。図８において、図６に記載のＵＲＭＧはＵＲＭＧのサイズやＵｓａｇｅ Ｒｕｌｅ Ｅｎｔｒｙの数やサイズ等の情報を記述しているＵＲＭＧＩ８０１と、Ｕｓａｇｅ Ｒｕｌｅ Ｅｎｔｒｙ＃１〜＃ｎ８０２を含む。Ｕｓａｇｅ Ｒｕｌｅ Ｅｎｔｒｙは、Ｍｏｖｅ処理に使用されるＣ＿ＨＡＳＨ８０３、及びＭｏｖｅ Ｃｏｎｔｒｏｌ  Ｉｎｆｏｒｍａｔｉｏｎ８０４及び、Ｔｒｉｇｇｅｒ ｂｉｔ８０５、及びＡｖａｉｌａｂｉｌｉｔｙ ｆｌａｇ８０６、及びＳＴＩ＿ＫＥＹ８０７と、チェックアウト可能回数を示すＣｈｅｃｋ-ｏｕｔ Ｃｏｎｔｒｏｌ Ｉｎｆｏｒｍａｔｉｏｎ（チェックアウトカウンター）８０８と、何番目のＡＯＢファイルのＵｓａｇｅ  Ｒｕｌｅなのかを示す（「ＡＯＢ００＃ｎ．ＳＡ１」の＃ｎに当たる）Ｃｏｎｔｅｎｔ ＩＤ８０９を含む。
【００３６】
図９は、本発明の第１の実施例における情報管理装置にインポートされたコンテンツの一部分を再生装置にチェックアウトする方法を示す。
【００３７】
図９において、情報管理装置の入力部によりチェックアウトするコンテンツを選択し９０１、チェックアウト先となる再生装置を情報管理装置に接続する９０２。情報管理装置が、ＳＤカードにとって使用不可能なデバイスでないかをチェックし９０３、使用不可能であればこれ以降の処理は実行できない９０４。これは、ホストデバイスである情報管理装置の秘密が暴かれコンテンツが不正利用状態になった場合、ＳＤカード側でこのホストデバイスのコンテンツ利用を禁止するためである。情報管理装置の正当性が確認されると、再生装置のＳＤカードのＴＫＭＧを読み込む９０５。情報管理装置はＵＲＭＧに記述されているチェックアウトコンテンツのチェックアウトカウンターを１デクリメントする９０６。再生装置のＭｅｄｉａ  ＩＤでＴｉｔｌｅ  Ｋｅｙを生成し、既に読み込んでいるＳＤカードのＴＫＭＧのＴｉｔｌｅ  Ｋｅｙ  ＥｎｔｒｙをＴｉｔｌｅ  Ｋｅｙで更新し９０７、更新したＴＫＭＧをＳＤカードに書き込む９０８。そして、チェックアウトコンテンツを再生装置のＳＤカードに書き込む９０９。再生装置のＳＤカードにプレイリストとして情報管理装置のデフォルトプレイリストが記録されていれば９１０読み出し９１１、記録されていなければ情報管理装置に記録されたデフォルトプレイリストを読み出して９１２全てのＴＫＩのＲＥＦ＿ＦＬＡＧを０１で初期化する９１３。そして、チェックアウトするコンテンツに対応するＴＫＩのＲＥＦ＿ＦＬＡＧに００を書き込み９１４、プレイリストを再生装置ＳＤカードに書き込む９１５。ユーザから選択されたコンテンツを全てチェックアウトし終わっていなければ、ＳＤカードのＴＫＭＧの読み出しからプレイリストの書き込みまでの処理を繰り返す９１６。
【００３８】
図１０は、本発明の第１の実施例における再生装置におけるコンテンツ情報の表示例を示す。
図１０において、再生装置では再生するコンテンツを選択する場合及び、チェックインするコンテンツを選択するはチェックアウトしたコンテンツのみを表示し１００１、情報管理装置から新たにチェックアウトするコンテンツを選択する場合はチェックアウトされていないコンテンツのみを表示する１００２。また、情報管理装置のコンテンツと再生装置のコンテンツの状況を比較するために、プレイリストの全情報を表示しても良い１００３。このように、用途に応じてコンテンツの情報を表示させユーザからの入力を受け付ける。
【００３９】
図１１は、本発明の第１の実施例における再生装置でチェックイン、チェックアウトを予約する方法を示す。
図１１において、再生装置はユーザから予約入力を受付１１０１、入力がチェックイン予約の場合１１０２、予約されたコンテンツに対応するＴＫＩのＲＥＦ＿ＦＬＡＧが００ｂならば１０３、１０ｂに更新し１１０４、対応するＡＯＢファイルを削除する１１０５。尚、ＡＯＢファイルが削除されても、管理情報が残っていればチェックインは可能である。
また、入力がチェックアウト予約の場合は１１０６、予約されたコンテンツに対応するＴＫＩのＲＥＦ＿ＦＬＡＧが０１ｂならば１１ｂに更新する１１０７。
【００４０】
図１２は、本発明の第１の実施例における情報管理装置とＳＤカードのプレイリストのマージ、及びチェックイン、チェックアウトを自動的に行う方法を示す。
図１２において、再生装置で予約したコンテンツのチェックイン・チェックアウトを自動的に行うために、再生装置が情報管理装置に接続されると１２０１、情報管理装置がＳＤカードにとって使用不可能なデバイスでないかをチェックし１２０２、使用不可能であればこれ以降の処理は実行できない１２０３。情報管理装置の正当性が確認されると、情報管理装置は情報読み込み部により再生装置のプレイリストを読み込み１２０４、情報管理装置のデフォルトプレイリストが追加または削除により変更されていた場合、変更点を再生装置のＳＤカードのプレイリストに反映させるＡ（プレイリスト更新）。次に、プレイリストのＴＫＩのＲＥＦ＿ＦＬＡＧを参照し１０２５、ＲＥＦ＿ＦＬＡＧの値が１０ｂの場合はチェックイン処理を行いＢ（チェックイン処理）、ＲＥＦ＿ＦＬＡＧの値が１１ｂの場合はチェックアウト処理を行うＣ（チェックアウト処理）。プレイリスト内の全てのＲＥＦ＿ＦＡＬＧをチェックし終わるまでチェックイン、チェックアウト処理を繰り返す１２０６。
【００４１】
Ａのプレイリストの更新処理について図１２Ａにて説明する。まず、デフォルトプレイリストでの再生順は、ＡＯＢファイルが記録された順であり、新たにＡＯＢファイルが追加された場合はデフォルトプレイリストの最後尾に登録されるものとする。ここでの説明では、再生装置のプレイリストのｎ番目のＴＫＩエントリをＰ＿ＴＫＩ＃ｎと表し、情報管理装置のデフォルトプレイリストのｎ番目のＴＫＩエントリをＩ＿ＴＫＩ＃ｎと表し１２０８、まず、Ｐ＿ＴＫＩ＃１とＩ＿ＴＫＩ＃１から処理を行い１２０９・１２１０、Ｐ＿ＴＫＩ＃ｎとＩ＿ＴＫＩ＃ｎ両方が存在しなくなるまで、つまり両方のプレイリストの最後までを処理する。Ｐ＿ＴＫＩ＃ｎとＩ＿ＴＫＩ＃ｎ両方が存在する場合、どちらのＴＫＩも同じであれば変更されていないということなので１２１１次のＴＫＩを参照する１２１０。同じでなければＩ＿ＴＫＩ＃ｎが削除されたということなので、Ｐ＿ＴＫＩ＃ｎのＲＥＦ＿ＦＬＡＧ＝＝００即ちＡＯＢｎ．ＳＡ１ファイルがチェックアウトされているならば１２１２、ＡＯＢｎ．ＳＡ１を削除し１２１３、更にＰ＿ＴＫＩ＃ｎも削除する１２１４。そして、次のＴＫＩを参照する。また、Ｐ＿ＴＫＩ＃ｎは存在するがＩ＿ＴＫＩ＃ｎが存在しない場合は、これ以降のＩ＿ＴＫＩは情報管理装置から削除されたということなので、Ｐ＿ＴＫＩ＃ｎのＲＥＦ＿ＦＬＡＧ＝＝００即ちＡＯＢｎ．ＳＡ１ファイルがチェックアウトされているならば１２１２、ＡＯＢｎ．ＳＡ１を削除し１２１３、更にＰ＿ＴＫＩ＃ｎも削除する１２１４。そして、この処理をＰ＿ＴＫＩが全て削除されるまで繰り返す。また、Ｐ＿ＴＫＩ＃ｎは存在しないがＩ＿ＴＫＩ＃ｎは存在する場合は、デフォルトプレイリストに新たにＩ＿ＴＫＩが追加されたということなので、ＲＥＦ＿ＦＬＡＧ＝０１（未チェックアウト）でＰ＿ＴＫＩ＃ｎとして追加する１２１５。  これらの処理を、Ｐ＿ＴＫＩ＃ｎ及びＩ＿ＴＫＩ＃ｎの両方の情報が存在しなくなるまで繰り返し、最後に更新したプレイリストを再生装置のＳＤカードに書きこむことにより１２１６情報管理装置のデフォルトプレイリストの変更点を再生装置のＳＤカードのプレイリストに反映させることができる。
【００４２】
Ｂのチェックイン処理について図１２Ｂにて説明する。まず、再生装置のＳＤカードのＴＫＭＧファイルを読む１２１７。情報管理装置は、コンテンツのチェックアウト情報を持っており、チェックインしようとしているコンテンツが情報管理装置からチェックアウトされたコンテンツかどうかをチェックする１２１８。情報管理装置からチェックアウトされたコンテンツであることが確認されたら１２１９、ＳＤカードのＴＫＭＧファイルのチェックインコンテンツに対応するＴｉｔｌｅ  Ｋｅｙ  Ｅｎｔｒｙを削除し、Ａｖａｉｌａｂｉｌｉｔｙ  ｆｌａｇを０で更新する１２２０。これによりＴｉｔｌｅ  Ｋｅｙが無効となる。Ｔｉｔｌｅ  Ｋｅｙ  Ｅｎｔｒｙの削除に失敗した場合は１２２１チェックイン操作を終了する。成功した場合は１２２１、情報管理装置のＵＲＭＧに記述されているチェックインしたコンテンツに対応するチェックアウトカウンターを１インクリメントする１２２２。次に、情報管理装置はＳＤカードから読み込んだプレイリストにおいて、チェックインしたコンテンツに対応するＴＫＩのＲＥＦ＿ＦＬＡＧを０１で更新し１２２３、更新したプレイリストをＳＤカードに書き込む１２２４。
【００４３】
Ｃのチェックアウト処理について図１２Ｃにて説明する。まず、ＳＤカードのＴＫＭＧを読み込む１２２５。情報管理装置はＵＲＭＧに記述されているチェックアウトコンテンツのチェックアウトカウンターを１デクリメントする１２２６。再生装置のＭｅｄｉａ  ＩＤでＴｉｔｌｅ  Ｋｅｙを生成し、既に読み込んでいるＳＤカードのＴＫＭＧのＴｉｔｌｅ  Ｋｅｙ  ＥｎｔｒｙをＴｉｔｌｅ  Ｋｅｙで更新し１２２７、更新したＴＫＭＧをＳＤカードに書き込む１２２８。そして、チェックアウトコンテンツをＳＤカードに書き込む１２２９。ＳＤカードから読み込んだプレイリストのチェックアウトしたコンテンツに対応するＴＫＩのＲＥＦ＿ＦＬＡＧに００を書き込み１２３０、プレイリストをＳＤカードに書き込む１２３１。
【００４４】
以上のように、本実施例１においては、チェックアウトするコンテンツがチェックアウト元のコンテンツの一部分でも全てのコンテンツの情報を持たせ、更に付加情報を持たせることにより、チェックインするコンテンツ及び新たにチェックアウトするコンテンツを再生装置で選択することができ、情報管理装置を介して自動的にプレイリストの更新及び、チェックイン・チェックアウトを行うことができる。また、チェックイン予約時に、コンテンツファイルを削除することで実際にチェックイン操作を行わなくても空き容量を作れ、都合の良いときにチェックイン操作を行うことができる。
【実施例２】
【００４５】
図１３は、本発明の実施例２におけるＴＫＩの構成図を示す。
図１３において、実施例1の構成と異なるところは再生された回数を数えるＰｌａｙ＿Ｃｏｕｎｔｅｒフィールド１３０１を設けた点である。また、ＴＭＳＲＴフィールド１３０２はＴＭＳＲＴ＿Ｈフィールド１３０３とＡＯＢファイルの一部分のデータサイズを含むＴＭＳＲＴ＿ｅｎｔｒｙ＃１〜ＴＭＳＲＴ＿ｅｎｔｒｙ＃ｎフィールド１１３０４を含み、ＴＭＳＲＴ＿Ｈフィールド１３０３は、ＴＭＳＲＴであることを示す識別子を含むＴＭＳＲＴ＿ＩＤフィールド１３０５とＴＭＳＲＴ＿ｅｎｔｒｙの総数を含むＴＭＳＲＴ＿Ｎｓフィールド１３０６を含む。ＴＭＳＲＴ＿ｅｎｔｒｙの値を＃１からＴＭＳＲＴ＿Ｎｓフィールドに示す数値のＴＭＳＲＴ＿ｅｎｔｒｙまでの和はＡＯＢファイルの有効データサイズが求まる。
【００４６】
図１４は、本発明の第２の実施例における再生装置でのチェックイン候補自動抽出方法を示す。
図１４において、ユーザによりチェックイン候補自動抽出機能が実行されると、現在チェックアウト予約がされているコンテンツの総データサイズを算出する１４０１。前記算出されたチェックアウト予約総データサイズから記憶空き容量を引き、チェックアウト予約されたコンテンツをチェックアウトするために削除しなければならない記憶容量を求める１４０２。これをチェックイン必要サイズとする。次に、Ｐｌａｙ＿Ｃｏｕｎｔｅｒの少ない順、即ち利用頻度の低い順にコンテンツをソート表示し１４０３、上位コンテンツからチェックイン必要サイズ分のコンテンツを強調表示させ１４０４、チェックイン候補であることを示す。そして、ユーザの判断によるチェックインコンテンツの選択を受け付け１４０５、選択されたコンテンツのチェックイン予約を行う１４０６。
以上のように、本実施例２においては、管理情報に再生回数カウンタを設け、チェックアウト予約コンテンツをチェックアウトするために削除が必要なデータサイズを算出することにより、コンテンツが大量であってもチェックインが必要なデータサイズ分のチェックインコンテンツを容易に選択することができる。
【実施例３】
【００４７】
図１５〜１８は、本発明の第３の実施例におけるチェックアウト元のＡＯＢファイルが破損した場合にチェックアウト先のＡＯＢファイルを用いて復旧するためのデータ構造を示す。
図１５において、実施例１の構成と異なるところはＰＬＭＧのＰＬＩにファイルが更新された日時情報を記録するＡＯＢ＿ＤＡＴＥフィールド１５０１とＤＰＬＩに破損したＡＯＢファイルを修正した日時情報を記録するＡＯＢ＿ＵＰＤＡＴＥフィールド１５０２を設けた点である。ＡＯＢ＿ＤＡＴＥ＃１〜＃ｘ１５０１はチェックアウト元のＡＯＢファイルの更新日時であり、チェックアウト時にチェックアウト先管理情報として記録される。チェックアウトされなかったコンテンツに対応するＡＯＢ＿ＤＡＴＥフィールドは、０ｘ０００００００００００とする。ＤＰＬＩのＡＯＢ＿ＵＰＤＡＴＥ１５０２フィールドは破損ファイルを修正した場合、修正したＡＯＢファイルに対応するＡＯＢ＿ＵＰＤＡＴＥフィールドの値を書き込む。修正が行われていない場合は０ｘＦＦＦＦＦＦＦＦＦＦＦとする。ある再生装置で情報管理装置のＡＯＢファイルが修正された場合、別の再生装置のＡＯＢに対応するＡＯＢ＿ＤＡＴＥの方が新しい場合は、更にそのＡＯＢファイルで更新を行う。
【００４８】
図１６において、情報管理装置のデフォルトプレイリストにおいて、１番目から２０番目のＤＰＬ＿ＴＫ＿ＳＲＰが指すＡＯＢファイルの更新日時は２００４年０７月０６日１０時３０分００秒であり１６０１、２１番目から３０番目のＤＰＬ＿ＴＫ＿ＳＲＰが指すＡＯＢファイルの更新日時は２００４年０７月０９日１６時００分０５秒であり１６０２、１番目から２０番目のコンテンツを再生装置Ａにチェックアウトしたものとする１６０３。
【００４９】
図１７において、図１６の状態であった情報管理装置のコンテンツを２番目〜２０番目のコンテンツを他のコンテンツに置き換えたためＡＯＢファイルの更新日時も更新された日時である２００４年０８月２６日０５時０７分０８秒に変更され１７０１、その後２０番目〜３０番目のコンテンツを再生装置Ｂにチェックアウトしたものとする１７０２。
【００５０】
図１８において、情報管理装置のデフォルトプレイリストの情報を示す。各ＤＰＬ＿ＴＫ＿ＳＲＰが指すＡＯＢファイルの修正日時情報ＡＯＢ＿ＵＰＤＡＴＥは、ＡＯＢファイルが破損していない初期状態では、０ｘＦＦＦＦＦＦＦＦＦＦＦが格納され、ＡＯＢファイルが破損した場合０ｘ０００００００００００００で更新され、デフォルトプレイリストの１番目と２０番目及び２１番目のＤＰＬ＿ＴＫ＿ＳＲＰが指すＡＯＢファイルが破損したものとする１８０１。
【００５１】
図１９〜２１は、本発明の第３の実施例における情報管理装置のＡＯＢファイルを再生装置のＡＯＢファイルで修正する処理の流れ及びデータ変化の様子を示す。
図１９において、まず再生装置Ａを情報管理装置へ接続する１９０１。情報管理装置が、ＳＤカードにとって使用不可能なデバイスでないかをチェックし１９０２、正当性が確認されると再生装置のＳＤカードからプレイリストを読み込む１９０４。まず、プレイリストの一番目のコンテンツが再生装置にチェックアウトされているかどうかを調査するためにＲＥＦ＿ＦＬＡＧを参照し１９０７、値が００ｂであればコンテンツがチェックアウトされＡＯＢファイルが存在するということになる。ＡＯＢファイルが存在する場合は再生装置のＡＯＢファイルの更新日時を示すＡＯＢ＿ＵＰＤＡＴＥと情報管理装置のＡＯＢファイルを修正した日時を示すＡＯＢ＿ＤＡＴＥを比較し１９０８、ＡＯＢ＿ＵＰＤＡＴＥの方が新しい場合再生装置のＳＤカードから対応するＡＯＢファイルを読み込み１９０９、情報管理装置の持つＭｅｄｉａ  ＩＤでＴｉｔｌｅ  Ｋｅｙを生成し、そのＴｉｔｌｅ  ＫｅｙでＡＯＢファイルを再暗号化して情報管理装置へ書き込む１９１０。また、情報管理装置のＵＲＭＧにおける修正ファイルに対応するチェックインカウンターを０に修正し１９１２、ＵＲＭＧ及びＴＫＭＧを情報管理装置の持つＭｅｄｉａ  ＩＤで暗号化し直す。
【００５２】
そして、ＡＯＢ＿ＵＰＤＡＴＥをＡＯＢ＿ＤＡＴＥで更新する１９１４。デフォルトプレイリスト全てをチェックし終わるまで修正処理が繰り返される１９１５。このような処理により、図２０のように情報管理装置のデフォルトプレイリスト１番目と２０番目のＡＯＢファイルが修正される２００１。同様に、再生装置Ｂを用いて修正を行うと、図２１のように２０番目のＡＯＢファイルが更に修正され２１０１、新たに１９番目のＡＯＢファイルも修正される２１０２。
【００５３】
以上のように、本実施例３においては、ＰＬＭＧのＰＬＩにファイルが更新された日時情報を記録するＡＯＢ＿ＤＡＴＥフィールドとＤＰＬＩに破損したＡＯＢファイルを修正した日時情報を記録するＡＯＢ＿ＵＰＤＡＴＥフィールドを設けることにより、チェックアウト元のＡＢファイルが破損しても複数のチェックアウト先再生装置から最新のＡＯＢファイルで情報管理装置の破損ＡＯＢファイルを修正することができる。
【産業上の利用可能性】
【００５４】
本発明にかかる著作権保護されたコンテンツを管理する情報管理装置及び情報管理装置からチェックアウトされたコンテンンツを格納する再生装置からなるコピー管理システムは、再生装置でチェックイン及びチェックアウトしたいコンテンツの情報を閲覧・選択する手段と、前記選択されたコンテンツは情報管理装置に接続時、自動的にチェックイン及びチェックアウトされる手段と、また、チェックイン処理を行わなくても記憶媒体の記憶空き領域を作る手段と、さらに、情報管理装置で破損したコンテンツを再生装置のコンテンツで復旧する手段を有し、複製数制限付きの著作権保護コンテンツのコピー管理システム等として有用であり、特に再生装置が携帯型の場合に適している。
【図面の簡単な説明】
【００５５】
【図１】本発明の実施例１における再生装置及び情報管理装置の構成図
【図２】本発明の実施例１における記憶媒体のユーザデータ領域のディレクトリ構成図
【図３】本発明の実施例１におけるＰＬＭＧの構成図
【図４】本発明の実施例１におけるＤＰＬＩ及びＰＬＩの構成図
【図５】本発明の実施例１におけるＴＫＩの構成図
【図６】本発明の実施例１における記憶媒体のプロテクト領域のディレクトリ構成図
【図７】本発明の実施例１におけるＴＫＭＧの構成図
【図８】本発明の実施例１におけるＵＲＭＧの構成図
【図９】本発明の実施例１における情報管理装置のコンテンツの一部分を再生装置にチェックアウトする流れ図
【図１０】本発明の実施例１におけるコンテンツ情報の表示例を示す図
【図１１】本発明の実施例１における再生装置でチェックイン、チェックアウトを予約する流れ図
【図１２】本発明の実施例１における情報管理装置と再生装置のプレイリストのマージ、及びチェックイン、チェックアウトを自動的に行う流れ図
【図１２Ａ】図１２におけるプレイリスト更新処理Ａの流れ図
【図１２Ｂ】図１２におけるチェックイン処理Ｂの流れ図
【図１２Ｃ】図１２におけるチェックアウト処理Ｃの流れ図
【図１３】本発明の実施例２におけるＴＫＩの構成図
【図１４】本発明の実施例２におけるチェックイン候補自動抽出方法の流れ図
【図１５】本発明の実施例３におけるＰＬＩ及びＤＰＬＩの構成図
【図１６】本発明の実施例３における情報管理装置のＡＯＢファイルの更新日時を示す図
【図１７】本発明の実施例３における情報管理装置のＡＯＢファイル変更後の更新日時を示す図
【図１８】本発明の実施例３における情報管理装置のＡＯＢ＿ＵＰＤＡＴＥを示す図
【図１９】本発明の実施例３における情報管理装置のＡＯＢファイルを再生装置のＡＯＢファイルで修正する流れ図
【図２０】本発明の実施例３における情報管理装置のＡＯＢファイルを再生装置Ａで修正後の情報管理装置のＡＯＢ＿ＵＰＤＡＴＥを示す図
【図２１】本発明の実施例３における情報管理装置のＡＯＢファイル再生装置Ａ及びＢで修正後の情報管理装置のＡＯＢ＿ＵＰＤＡＴＥを示す図
【図２２】従来のコピー管理システムの構成図
【符号の説明】
【００５６】
１  情報管理装置
２  再生装置の記録媒体
３  コンテンツの管理情報
４  チェックアウト元の記録媒体名
５  記憶媒体名表示手段
１０１  Ｈａｒｄ  Ｄｉｓｋ  Ｄｒｉｖｅ
１０２  情報管理装置
１０３  再生装置
１０４  接続部
１０５  接続部
１０６  ＬＣＤ（Ｌｉｑｕｉｄ  Ｃｒｙｓｔａｌ  Ｄｉｓｐｌａｙ）
１０７  入力部
１０８  制御部
１０９  情報読み込み部
１１０  コンテンツ・管理情報編集部
１１１  コンテンツ記憶部
１１２  情報書き込み部
１１３  接続部
１１４  ＳＤメモリカード
１１５  ＬＣＤ（Ｌｉｑｕｉｄ  Ｃｒｙｓｔａｌ  Ｄｉｓｐｌａｙ）
１１６  入力部
１１７  制御部
１１８  音楽出力部
１１９  管理情報編集部
２０１  ＳＤ＿ＡＵＤＩＯディレクトリ
２０２  ＰＬＭＧファイル
２０３  ＴＬＭＧファイル
２０４  ＡＯＢファイル
３０１  ＴＫＩ
３０２  Ｄｅｆａｕｌｔ Ｐｌａｙｌｉｓｔ  Ｉｎｆｏｒｍａｔｉｏｎ
３０３  Ｐｌａｙｌｉｓｔ  Ｉｎｆｏｒｍａｔｉｏｎ
４０１  ＤＰＬＧＩ
４０２  ＤＰＬ＿ＴＫ＿ＳＲＰ
４０３  ＰＬＧＩ
４０４  ＰＬ＿ＴＫ＿ＳＲＰ
５０１  ＴＫＧＩ
５０２  ＴＫＴＸＴＩ＿ＤＡ
５０３  ＴＭＳＲＴ
５０４  ＲＥＦ＿ＦＬＡＧ
６０１  ＳＤ＿ＡＵＤＩＯディレクトリ
６０２  ＴＫＭＧファイル
６０３  ＳＤ＿ＡＤＥＸＴディレクトリ
６０４  ＵＲＭＧファイル
７０１  Ｔｉｔｌｅ  Ｋｅｙ  Ｅｎｔｒｙ
７０２  Ｔｉｔｌｅ  Ｋｅｙ  Ｍａｎａｇｅｒ  Ｉｎｆｏｒｍａｔｉｏｎ
８０１  Ｕｓａｇｅ  Ｒｕｌｅ  Ｍａｎａｇｅｒ  Ｉｎｆｏｒｍａｔｉｏｎ
８０２  Ｕｓｇｅ  Ｒｕｌｅ  Ｅｎｔｒｙ
８０３  Ｃ＿ＨＡＳＨ
８０４  Ｍｏｖｅ  Ｃｏｎｔｒｏｌ  Ｉｎｆｏｒｍａｔｉｏｎ
８０５  Ｔｒｉｇｇｅｒ  ｂｉｔ
８０６  Ａｖａｉｌａｂｉｌｉｔｙ  ｆｌａｇ
８０７  ＳＴＩ＿ＫＥＹ
８０８  チェックアウトカウンター
８０９  Ｃｏｎｔｅｎｔ  ＩＤ
１００１  チェックアウトしたコンテンツのみを表示した図
１００２  チェックアウトされていないコンテンツのみを表示した図
１００３  プレイリストの全情報を表示した図
１３０１  Ｐｌａｙ＿Ｃｏｕｎｔｅｒ
１３０２  ＴＭＳＲＴ
１３０３  ＴＭＳＲＴ＿Ｈ
１３０４  ＴＭＳＲＴ＿ｅｎｔｒｙ
１３０５  ＴＭＳＲＴ＿ＩＤ
１３０６  ＴＭＳＲＴ＿Ｎｓ
１５０１  ＡＯＢ＿ＤＡＴＥ
１５０２  ＡＯＢ＿ＵＰＤＡＴＥ
１６０１  ＤＰＬ＿ＴＫ＿ＳＲＰ＃１〜＃２０が指すＡＯＢファイルの更新日時
１６０２  ＤＰＬ＿ＴＫ＿ＳＲＰ＃２１〜＃３０が指すＡＯＢファイルの更新日時
１６０３  ＡＯＢ＃１〜ＡＯＢ＃２０を再生装置Ａにチェックアウト
１７０１  ＤＰＬ＿ＴＫ＿ＳＲＰ＃２〜＃２０が指すＡＯＢファイルの更新日時
１７０２  ＡＯＢ＃１９〜ＡＯＢ＃３０を再生装置Ａにチェックアウト
１８０１  ＡＯＢ＃１、ＡＯＢ＃２０、ＡＯＢ＃２１が破損
１９０１  更新されたＡＯＢ＿ＵＰＤＡＴＥ
２００１  更新されたＡＯＢ＿ＵＰＤＡＴＥ
２００２  更新されたＡＯＢ＿ＵＰＤＡＴＥ
【図１】
2006127626.tif 000003
【図２】
2006127626.tif 000004
【図３】
2006127626.tif 000005
【図４】
2006127626.tif 000006
【図５】
2006127626.tif 000007
【図６】
2006127626.tif 000008
【図７】
2006127626.tif 000009
【図８】
2006127626.tif 000010
【図９】
2006127626.tif 000011
【図１０】
2006127626.tif 000012
【図１１】
2006127626.tif 000013
【図１２】
2006127626.tif 000014
【図１２Ａ】
2006127626.tif 000015
【図１２Ｂ】
2006127626.tif 000016
【図１２Ｃ】
2006127626.tif 000017
【図１３】
2006127626.tif 000018
【図１４】
2006127626.tif 000019
【図１５】
2006127626.tif 000020
【図１６】
2006127626.tif 000021
【図１７】
2006127626.tif 000022
【図１８】
2006127626.tif 000023
【図１９】
2006127626.tif 000024
【図２０】
2006127626.tif 000025
【図２１】
2006127626.tif 000026
【図２２】
2006127626.tif 000027